(57)【特許請求の範囲】
【請求項１】
貼着板、上面板、前面板、底面板、後面板、表示板が順次連設され、前記貼着板の外面と前記後面板の内面が貼着されており、前記表示板は内側に折畳まれており、折畳まれている該表示板と、前記上面板とが貼り合わされている紙箱であって、前記貼着板と前記上面板の間に面取板を備え、
前記表示板を折畳んでいる折畳線の近傍の表示板の内面同士が貼り合わされていることを特徴とする紙箱。
【請求項２】
前記上面板に開口用切込線が設けられ、該開口用切込線で囲まれた部分と前記折畳まれた表示板とが貼り合わされていることを特徴とする請求項１に記載の紙箱。
【発明の詳細な説明】
【技術分野】
【０００１】
本発明は、紙箱に関するものである。
【背景技術】
【０００２】
従来から、菓子食品類や医薬品や化粧品、玩具類、日用品などを収容して、収納された商品を保護し輸送するために、紙箱が広く用いられている。これら商品の中には、商品に付いての説明、例えば、原料、成分表、賞味期限、取り扱い方法や、使用方法、効果、効能などを詳細に記載、表示することが求められるものがある。
【０００３】
このために、紙箱に延設した表示板を、紙箱の一面に沿って設けた紙箱がある。例えば、ケース部とケース部内に折り畳まれる表示片（表示板）とから構成され、表示片がケース内に折り畳まれた状態で位置する表示片付ケースがある（例えば、特許文献１）。
【０００４】
一方、図１０のような、貼着板７、上面板１、前面板２、底面板３、後面板４、表示板５、６が順次連設されたブランクを、貼着板７、上面板１、前面板２、底面板３、後面板４の境界に設けられた折罫で折って、貼着板７の外面を後面板４の内面に貼着し、表示板５、６は折畳線１９で、内側に折畳まれていて、折畳まれた表示板５、６のうちの表示板６と上面板１とが貼り合わされた図９のような紙箱がある。
【０００５】
この紙箱は、製函するときに、まず、サック貼り工程で、表示板５、６を折畳み、貼着板７と上面板１の間の折罫と、前面板２と底面板３の間の折罫と、後面板４と表示板５の間の折罫とを折って、貼着板７の外面を後面板４の内面に接着部２０で貼着し、折畳まれた表示板５、６のうちの表示板６と上面板１とを接着部２１で貼着して、図１１のようにサック状に製函する。
【０００６】
このサック状の紙箱のフラップ１０、１２、１４、１６を内方に折り曲げ、右折込片１１を内方に折り曲げ、右側面板９を内方に折り曲げて、右折込片１１の外面に右側面板９の内面を接着する。また、左折込片１５を内方に折り曲げ、左側面板１３を内方に折り曲げて、左折込片１５の外面に左側面板１３の内面を接着する。これによって、図９のような紙箱が製函される。
【０００７】
このように製函された紙箱は、紙箱のブランクに用いる板紙に厚さがあるため、サック貼り工程で、貼着板７と上面板１の折り曲げの外側で、後面板４と表示板５が折り曲げられるため、表示板６が、後面板４に寄った位置で上面板１に貼着される。
【０００８】
このため、図１２のように、折畳まれた表示板５、６のうち、上面板１と貼着していない上側の表示板５が、撓んで上に膨らんでしまい、見栄えが悪く、また、複数の紙箱を積み重ねることができなくなる。
【０００９】
公知文献を以下に示す。
【先行技術文献】
【特許文献】
【００１０】
【特許文献１】特開２００１−４８１５９号公報
【発明の概要】
【発明が解決しようとする課題】
【００１１】
本発明は、紙箱に延設した表示板を、折畳んで、紙箱の一面の外側に貼着した紙箱であって、折畳まれた表示板の貼着していない側の表示板部分が、撓んで上に膨らむことの無い紙箱を提供することを課題とする。
【課題を解決するための手段】
【００１２】
本発明は係る課題に鑑みなされたものであり、請求項１の発明は、貼着板、上面板、前面板、底面板、後面板、表示板が順次連設され、前記貼着板の外面と前記後面板の内面が貼着されており、前記表示板は内側に折畳まれており、折畳まれている該表示板と、前記上面板とが貼り合わされている紙箱であって、前記貼着板と前記上面板の間に面取板を備え、
前記表示板を折畳んでいる折畳線の近傍の表示板の内面同士が貼り合わされていることを特徴とする紙箱である。
【００１３】
本発明の紙箱は、以上のような構成であって、前記貼着板と前記上面板の間に面取板を備えるので、面取板が内方に傾くことによって、上面板側で前面板と後面板の間の距離が
開くようになり、折畳まれている表示板の貼着していない側の表示板部分が、撓んで上に膨らんでしまうことがない。
【００１５】
本発明は、更に、表示板を折畳んでいる折畳線の近傍の表示板の内面同士が貼り合わされているので、折畳線近傍での膨らみも抑えられ、折畳まれている表示板の貼着していない側の表示板部分が、撓んで上に膨らんでしまうことを防ぐことができる。
【００１６】
本発明の請求項２の発明は、前記上面板に開口用切込線が設けられ、該開口用切込線で囲まれた部分と前記折畳まれた表示板とが貼り合わされていることを特徴とする請求項１に記載の紙箱である。
【００１７】
本発明は、上面板に開口用切込線が設けられ、該開口用切込線で囲まれた部分と前記折畳まれた表示板とが貼り合わされているので、表示板の前面板側を持って持ち上げると、開口用切込線が切断され、上面板が開口され、簡単に紙箱が開封することができる。
【発明の効果】
【００１８】
本発明の紙箱は、紙箱に延設した表示板を、折畳んで、紙箱の一面の外側に貼着していても、折畳まれた表示板の貼着していない側の表示板部分が、撓んで上に膨らむことがない。
【図面の簡単な説明】
【００１９】
【図１】本発明の紙箱の参考形態を模式的に斜視で示した説明図である。
【図２】本発明の紙箱の参考形態のブランクを模式的に平面で示した説明図である。
【図３】本発明の紙箱の参考形態を製函するときの状態を断面で示した説明図である。
【図４】本発明の紙箱の参考形態を模式的に断面で示した説明図である。
【図５】本発明の紙箱の実施形態を模式的に斜視で示した説明図である。
【図６】本発明の紙箱の実施形態のブランクを模式的に平面で示した説明図である。
【図７】本発明の紙箱の実施形態を製函するときの状態を断面で示した説明図である。
【図８】本発明の紙箱の実施形態を模式的に断面で示した説明図である。
【図９】従来の紙箱の一例を模式的に斜視で示した説明図である。
【図１０】従来の紙箱の一例のブランクを模式的に平面で示した説明図である。
【図１１】従来の紙箱の一例を製函するときの状態を断面で示した説明図である。
【図１２】従来の紙箱の一例を模式的に断面で示した説明図である。
【発明を実施するための形態】
【００２０】
＜参考形態＞
以下、本発明を実施するための参考形態について説明する。
【００２１】
図１は、本発明の紙箱の参考形態を模式的に斜視で示した説明図、図２は、本発明の紙箱の参考形態のブランクを模式的に平面で示した説明図、図３は、本発明の紙箱の参考形態を製函するときの状態を断面で示した説明図、図４は、本発明の紙箱の参考形態を模式的に断面で示した説明図である。
【００２２】
参考形態の紙箱１００は、図１のように、表示板５、６が内側に折畳まれた状態で上面板1の上面に、表示板６を接して設けられている。この紙箱１００は図２のようなブランク１０１を折って必要部分を接着して製函される。
【００２３】
ブランク１０１は上面板１、前面板２、底面板３、後面板４、表示板５、６が順次連設され、表示板５と表示板６の間には、折畳線１９が設けられ、その他の境界にも折罫が設けられている。
【００２４】
上面板１の反対端の左側には貼着板７が面取板８を介して設けられている。上面板１の上下には、それぞれ、右側面板９と左側面板１３が設けられ、底面板３の上下には、それぞれ、右折込片１１と左折込片１５が設けられている。
【００２５】
そして、前面板２の上下には、それぞれ、フラップ１０とフラップ１４が設けられ、後面板４の上下には、それぞれ、フラップ１２とフラップ１６が設けられている。また、上面板１には、開口用切込線１７によって、開口予定部１８が設けられている。
【００２６】
この紙箱１００を製函するには、まず、ブランク１０１をサック貼り工程で、表示板５、６を折畳線１９で折畳み、面取板８と上面板１の間の折罫と、前面板２と底面板３の間の折罫と、後面板４と表示板５の間の折罫とを折って、貼着板７の外面を後面板４の内面に接着部２０を介して貼着し、折畳まれた表示板５、６のうちの表示板６と、上面板１の開口予定部１８とを、接着部２１を介して貼着して、図３のようにサック状に製函する。
【００２７】
このサック状の紙箱１００のフラップ１０、１２、１４、１６を内方に折り曲げ、右折込片１１を内方に折り曲げ、右側面板９を内方に折り曲げて、右折込片１１の外面に右側面板９の内面を接着する。また、左折込片１５を内方に折り曲げ、左側面板１３を内方に折り曲げて、左折込片１５の外面に左側面板１３の内面を接着する。これによって、図１のように紙箱１００が製函される。
【００２８】
このように製函された紙箱１００は、ブランク１０１に用いる板紙に厚さがあり、面取板８と上面板１の折り曲げの外側で、後面板４と表示板５が折り曲げられ、表示板６が、後面板４側に寄った位置で上面板１の開口予定部１８に貼着されても、図４のように、面取板８が内方に傾くことによって、上面板１側で前面板２と後面４板の間の距離が開くようになり、折畳まれた表示板５、６の貼着していない側の表示板５が、撓んで上に膨らんでしまうことがない。
【００２９】
開封するときは、表示板５、６の前面板２側を持って持ち上げると、開口用切込線１７により形成された開口予定部１８と、表示板６とが貼り合わされているので、開口用切込
線１７が切断され、上面板開口予定部１８が開口され、簡単に紙箱１００を開封することができる。
【００３０】
＜実施形態＞
以下本発明を実施するための実施形態について説明する。
図５は、本発明の紙箱の実施形態を模式的に斜視で示した説明図、図６は、本発明の紙箱の実施形態のブランクを模式的に平面で示した説明図、図７は、本発明の紙箱の実施形態を製函するときの状態を断面で示した説明図、図８は、本発明の紙箱の実施形態を模式的に断面で示した説明図である。
【００３１】
実施形態の紙箱２００は、図５のように、表示板５、６が内側に折畳まれた状態で上面板1の上面に、表示板６を接して設けられている。この紙箱２００は図６のようなブランク２０１を折って必要部分を接着して製函される。
【００３２】
ブランク２０１は上面板１、前面板２、底面板３、後面板４、表示板５、６が順次連設され、表示板５と表示板６の間には、折畳線１９が設けられ、その他の境界にも折罫が設けられている。そして、折畳線１９の近傍には、表示板５、６の内面側に接着部２２が設けられている。
【００３３】
上面板１の反対端の左側には貼着板７が面取板８を介して設けられている。上面板１の上下には、それぞれ、右側面板９と左側面板１３が設けられ、底面板の上下には、それぞれ、右折込片１１と左折込片１５が設けられている。
【００３４】
そして、前面板２の上下には、それぞれ、フラップ１０とフラップ１４が設けられ、後面板４の上下には、それぞれ、フラップ１２とフラップ１６が設けられている。また、上面板１には、開口用切込線１７によって、開口予定部１８が設けられている。
【００３５】
この紙箱２００を製函するには、まず、ブランク２０１をサック貼り工程で、表示板５、６を折畳線１９で折畳み、折畳線１９の近傍の接着部２２で接着させる。面取板８と上面板１の間の折罫と、前面板２と底面板３の間の折罫と、後面板４と表示板５の間の折罫とを折って、貼着板７の外面を後面板４の内面に接着部２０を介して貼着し、折畳まれた表示板５、６のうちの表示板６と、上面板１の開口予定部１８とを、接着部２１を介して貼着して、図７のようにサック状に製函する。
【００３６】
このサック状の紙箱２００のフラップ１０、１２、１４、１６を内方に折り曲げ、右折込片１１を内方に折り曲げ、右側面板９を内方に折り曲げて、右折込片１１の外面に右側面板９の内面を接着する。また、左折込片１５を内方に折り曲げ、左側面板１３を内方に折り曲げて、左折込片１５の外面に左側面板１３の内面を接着する。これによって、図５のように紙箱２００が製函される。
【００３７】
このように製函された紙箱２００は、ブランク２０１に用いる板紙に厚さがあり、面取板８と上面板１の折り曲げの外側で、後面板４と表示板５が折り曲げられ、表示板６が、後面板４側に寄った位置で上面板１の開口予定部１８に貼着されても、図８のように、面取板８が内方に傾くことによって、上面板１側で前面板２と後面４板の間の距離が開くようになり、また、折畳まれた表示板５と表示板６が折畳線１９の近傍の接着部２２で接着されていて、表示板５が表示板６に沿うようになっているので、折畳まれた表示板５、６の貼着していない側の表示板５が撓んで上に膨らんでしまうことがない。
【００３８】
開封するときは、表示板５、６の前面板２側を持って持ち上げると、開口用切込線１７により形成された開口予定部１８と、表示板６とが貼り合わされているので、開口用切込
線１７が切断され、上面板開口予定部１８が開口され、簡単に紙箱２００を開封することができる。
【符号の説明】
【００３９】
１００、２００・・・紙箱
１０１、２０１・・・ブランク
１・・・上面板
２・・・前面板
３・・・底面板
４・・・後面板
５、６・・・表示板
７・・・貼着板
８・・・面取板
９・・・右側面板
１０、１２、１４、１６・・・フラップ
１１・・・右折込片
１３・・・左側面板
１５・・・左折込片
１７・・・開口用切込線
１８・・・開口予定部
１９・・・折畳線
２０、２１、２２・・・接着部
【図１】
0005846538.tif 000002
【図２】
0005846538.tif 000003
【図３】
0005846538.tif 000004
【図４】
0005846538.tif 000005
【図５】
0005846538.tif 000006
【図６】
0005846538.tif 000007
【図７】
0005846538.tif 000008
【図８】
0005846538.tif 000009
【図９】
0005846538.tif 000010
【図１０】
0005846538.tif 000011
【図１１】
0005846538.tif 000012
【図１２】
0005846538.tif 000013